(57)【要約】この発明は例えば人間の身体のような対象（Ｏ）の位置測定、動作および特性を本発明に従って監視する方法および装置に関し、励起信号（ＨＳ）が、例えば行列のような導体の分布を含む変換器（ＴＲＡＮＳＤＵＣＥＲ  ＭＡＴＲＩＸ）の導体の第１の部分に接続されており、信号（ＡＳ）が前記変換器（ＴＲＡＮＳＤＵＣＥＲ  ＭＡＴＲＩＸ）の導体の第２の部分から導き出され、および、前記動作は、変換器（ＴＲＡＮＳＤＵＣＥＲ  ＭＡＴＲＩＸ）の他の部分で繰り返され、かつ前記監視が遂行される部分間の連結と関連した情報に基づいている。
2007502634.tif 000002
【特許請求の範囲】
【請求項１】
例えばアパート、公的な空間、産業空間または事務所空間または動物小屋などの監視される環境において、例えば人間の身体、動物またはロボットなどの監視される一つまたはいくつかの対象（Ｏ）の位置測定、姿勢、動作また特性を監視する方法であって、監視される前記環境のいくつかのエリアにおいて、例えば床、壁または天井において、例えば導体の行列などの導体の分布から構成される変換器（ＴＲＡＮＳＤＵＣＥＲ  ＭＡＴＲＩＸ）があり、および、前記導体の分布は、少なくとも前記導体の第１の部分および前記導体の第２の部分を含むことを特徴とし、ならびに励起信号（ＨＳ）が前記導体の第１の部分に接続され、かつ前記第１の信号（ＡＳ）は導体の第１および第２の部分間の前記励起信号（ＨＳ）の連結から導き出され、かつ前記信号（ＡＳ）は、導体の第１および第２の部分間の連結に関するなんらかの情報を含む場合にスキャンサイクルが遂行されることを特徴とする方法。
【請求項２】
前記スキャンサイクルは、前記変換器（ＴＲＡＮＳＤＵＣＥＲ  ＭＡＴＲＩＸ）の導体の他の部分に関して繰り返されることを特徴とする請求項１に記載の方法。
【請求項３】
前記第１の信号（ＡＳ）から例えば導電率およびその差異、身体内の組織の分布、流体の分布、心臓または呼吸の機能などの前記対象（Ｏ）のいくつかの基本的に内部特性に関するなんらかの情報を導き出すことを特徴とする請求項１ないし２に記載の方法。
【請求項４】
前記第１の信号（ＡＳ）から例えば導電率およびその差異に関する情報のような前記対象（Ｏ）の特徴であるなんらかの情報が導き出され、かつ、前記情報は、前記対象（Ｏ）を認識するための目的に使用されることを特徴とする上記のいずれかの請求項に記載の方法。
【請求項５】
前記励起信号（ＨＳ）は、特別な手段（ＥＶ）において前記第２信号（ＩＳ）を呼び起こし、かつ、この信号は、受信手段（Ｖ）によって受信されることを特徴とする上記のいずれかの請求項に記載の方法。
【請求項６】
前記第２の信号（ＩＳ）は、例えば識別または状態に関連した情報などの前記対象（Ｏ）に関連したなんらかの情報を含むことを特徴とする請求項５に記載の方法。
【請求項７】
前記信号（ＡＳ，ＩＳ）の一方または両方から導き出される情報を、固定の基準、予め設定された基準、または順応性が高い基準のうちいずれかを使用して評価し、および前記評価の結果に基づいて、例えば制御機能または警報機能などの既知の活動を遂行することを特徴とする上記のいずれかの請求項に記載の方法。
【請求項８】
前記信号（ＡＳ，ＩＳ）の一方または両方から導き出された情報は監視される環境のおよび対象（Ｏ）のふるまいの時間的依存性を観測するために、例えばある時点で一つまたはいくつかの信号（ＡＳ，ＩＳ）から導き出された記録された情報が記憶され、かつ、この情報は情報が導き出された後の時点で参照情報として使用されるというような方法でメモリ手段内に記憶されることを特徴とする上記のいずれかの請求項に記載の方法。
【請求項９】
前記信号（ＡＳ，  ＩＳ）の一方または両方から導き出される情報は、例えば適応網または自己組織化網などの人工知能の状態を適応させるために使用されることを特徴とする上記のいずれかの請求項に記載の方法。
【請求項１０】
例えばアパート、公的な空間、産業空間または事務所空間または動物小屋などの監視される環境において、例えば人間の身体、動物またはロボットなどの監視される一つまたはいくつかの対象（Ｏ）の位置測定、姿勢、動作または特性を監視する装置であって、少なくとも前記導体の第１の部分および前記導体の第２の部分を含む導体の分布から構成される変換手段（ＴＲＡＮＳＤＵＣＥＲ  ＭＡＴＲＩＸ）と、スキャンサイクルを遂行する手段（ＣＥＮＴＲＡＬ  ＵＮＩＴ）と、励起信号（ＨＳ）を発生する手段と、前記励起信号を前記変換手段（ＴＲＡＮＳＤＵＣＥＲ  ＭＡＴＲＩＸ）の前記導体の第１の部分に伝導する手段（ＭＵＬＴＩＰＬＥＸＥＲ）と、前記導体の第１のおよび第２の部分間の連結と関連する信号（ＡＳ）を導き出す手段とを含むことを特徴とする装置。
【請求項１１】
変換手段（ＴＲＡＮＳＤＵＣＥＲ  ＭＡＴＲＩＸ）から前記信号ＡＳを処理し、かつ例えば心臓、呼吸または電気伝導の機能などの前記対象（Ｏ）の特性と関連した情報を導き出す手段（ＣＥＮＴＲＡＬ  ＵＮＩＴ）を含むことを特徴とする請求項１０に記載の装置。
【請求項１２】
信号処理手段（ＣＥＮＴＲＡＬ  ＵＮＩＴ）は、例えばなどの前記第１の伝送路経由で対象から導き出される情報を前方に転送する手段を含むことを特徴とする請求項１０ないし１１に記載の装置。
【請求項１３】
前記変換手段（ＴＲＡＮＳＤＵＣＥＲ  ＭＡＴＲＩＸ）は、例えば電気連結および音のエネルギーなどの少なくとも２つの異なる物理量を検出する構成要素を含むことを特徴とする請求項１０ないし１２に記載の装置。
【請求項１４】
前記変換手段（ＴＲＡＮＳＤＵＣＥＲ  ＭＡＴＲＩＸ）によって発生された前記信号（ＡＳ）は、少なくとも部分的に電界連結、すなわち前記対象（Ｏ）および前記変換手段（ＴＲＡＮＳＤＵＣＥＲ  ＭＡＴＲＩＸ）間の容量連結に基づいていることを特徴とする請求項１０ないし１３に記載の装置。
【請求項１５】
前記信号処理手段（ＣＥＮＴＲＡＬ  ＵＮＩＴ）は、例えば神経回路網または他の人工知能手段などのいくつかの適応機能を遂行することが可能ないくつかの手段を含むことを特徴とする請求項１０ないし１４に記載の装置。
【請求項１６】
前記装置が、前記変換手段（ＴＲＡＮＳＤＵＣＥＲ  ＭＡＴＲＩＸ）と関連した空間的な情報を記憶するいくつかの手段を含むかまたはそれに取り付けられていることを特徴とする請求項１０ないし１５に記載の装置。
【請求項１７】
前記変換手段（ＴＲＡＮＳＤＵＣＥＲ  ＭＡＴＲＩＸ）経由で導体の少なくとも一つの部分の位置測定に関するいくつかの情報および別の伝送路経由で例えば前記励起信号（ＨＳ）または無線信号などによって前方にこの情報を転送する手段を特徴とする請求項１０ないし１６に記載の装置。
【請求項１８】
前記装置は、前記励起信号（ＨＳ）の効果によって追加的な信号（ＩＳ）を発生させる特別な手段（ＥＶ）を含むことを特徴とする請求項１０ないし１７に記載の装置。
【請求項１９】
それが、このような有線または無線の接点を通して他のなんらかの伝送路経由で接点を形成するための、制御情報を受信してまたは送信する際に、位置測定情報を受信してまたは送信する際に、または時間情報を受信してまたは送信する際に、または例えばロボットなどの他のシステムとの他の通信に、使用されるための手段または、それに接続された手段を含むことを特徴とする請求項１０ないし１８に記載の装置。
【請求項２０】
一つまたはいくつかの信号（ＡＳ，  ＩＳ，  ＨＳ）から導き出される情報は、前記装置のいくつかの手段によってまたは取り付けられたいくつかの手段によって、いくつかの制御機能を遂行するために使用され、これらの機能は、ロボットの制御、照明の制御、空調の制御、警報システムの制御または通報システムの制御または施錠の制御を含むことができることを特徴とする請求項１０ないし１９に記載の装置。
【請求項２１】
それは、例えばその特性を表す動作または量の速度分布を導き出すような、対象（Ｏ）の動作の特性を表す情報を導き出す手段を含むことを特徴とする請求項１０ないし２０に記載の装置。
【請求項２２】
前記変換器（ＴＲＡＮＳＤＵＣＥＲ  ＭＡＴＲＩＸ）の導体の前記分布の少なくともいくつかは、例えば、そこまたはその近傍に対象（Ｏ）がアクセスを持つ床、壁および天井表面など、の表面の近くに配置されることを特徴とする請求項１０ないし２１に記載の装置。
【請求項２３】
前記変換器（ＴＲＡＮＳＤＵＣＥＲ  ＭＡＴＲＩＸ）の導体の前記分布の少なくともいくつかは監視される前記環境の、例えば危険な加工品または貴重な加工品の周囲のような表面の近くに配置されていることを特徴とする請求項１０ないし２２に記載の装置。
【請求項２４】
前記変換器（ＴＲＡＮＳＤＵＣＥＲ  ＭＡＴＲＩＸ）の導体の前記分布の少なくともいくつかは、例えばコンクリートの鉄、空調パイプ、水道管または導電体などの構造内のいくつかの導体を用いて実現されることを特徴とする請求項１０ないし２３に記載の装置。
【請求項２５】
前記特別な手段（ＥＶ）は、前記特別な手段によって発生される信号（ＩＳ）の情報を実装するために例えばＲＦＩＤ回路、変換器または能動回路などの、いくつかの手段を含むことを特徴とする請求項１８ないし２４に記載の装置。
【請求項２６】
例えば前記励起信号（ＨＳ）の振幅または周波数などの１つまたはいくつかの特性は、
前記特別な手段（ＥＶ）によって発生された信号（ＩＳ）が、対象（Ｏ）の位置測定に参照されて呼び起こされる場合には、異なっていることを特徴とする請求項１８ないし２５に記載の装置。
【発明の詳細な説明】
【技術分野】
【０００１】
本発明は、例えば人、動物または装置のような対象の位置、動作および特性を監視し、これに関する情報およびこれから導き出される情報の生成および転送を処理し、かつ最終的な通知、警告および制御機能を遂行するための方法および装置に関する。
【背景技術】
【０００２】
高齢の人々に自宅環境において自分自身を管理する潜在力を進んで増強させる場合、自宅環境における高齢者の状態の監視が必要である。これまでに発表された解決策は、あまり実用性は立証されてこなかった。一般には手首に着用された保安装置が使用されている。これらは利用者が間断なくリストバンド装置を着用しなければならず、かつ、非常時に警報ボタンを押すことができなければならないというような欠点を有する。健康状態を観測する手首に着用された装置もまたあるが、これらは誤報の問題を有する。
【０００３】
また、動作によって発生する振動を記録する圧電材のフォリオを設置するような解決策も検証されてきた。これは、静止の人を認識することができないという欠点を有する。
さらに、これはまた、建物の他の振動に敏感であり、それは貧弱な感度または誤った警報につながる。
【０００４】
また、例えば赤外光検出に基づく動作センサのビデオカメラを使用する可能性も示唆されたが、これらの解決策も、それ自体が効を奏することを立証してはいない。さらに、カメラの使用に関連していくつかのプライバシーの問題がある。
【０００５】
現在の全ての解決策は、データ操作に多くの人的労働が必要とされており、したがって、これらは大量顧客サービスに対しては適切でないという問題もある。にもかかわらず、顧客が彼または彼女の薬物治療を受けているかどうか、彼または彼女がキッチンを訪れて食事を取っているかどうか、または彼または彼女が夜間に外出しているかどうかというような重要な情報を得ることができない。
【０００６】
産業ホールおよび動物保護施設などの様々なエリアを監視する際にもまた、動作の検出のための解決策が必要である。上記と同じ問題が、これらの活動エリアにおいても存在する。
【発明の開示】
【０００７】
本発明の方法および装置を使用することにより、現在の技術による問題を回避することができ、かつ用途にしたがった要求の必要条件に対応する装置を考案することができる。それは本発明に属する特徴であり、添付の請求項において記述されている。
【０００８】
図１は、本発明の一装置の機能を説明するブロック図を示す。変換器ＴＲＡＮＳＤＵＣＥＲ  ＭＡＴＲＩＸは、お互いに直流電気的に絶縁されたＮ個の導電プレートから構成されることができ、および、それは図５または図６に示すように床カバーＬＰの下に設置される。各々のプレートは、２つのマルチプレクサＭＵＬＴＩＰＬＥＸＥＲ  １およびＭＵＬＴＩＰＬＥＸＥＲ  ２に接続されている。それらの各々において、これらの接続に対応する信号接続Ｓ１．．．ＳＮがある。ＭＵＬＴＩＰＬＥＸＥＲ  ２は、図４に示すように中央ユニットＣＥＮＴＲＡＬ  ＵＮＩＴからその制御信号Ｃ２１−Ｃ２Ｋを受信する。
【０００９】
これらの制御信号によって、ＭＵＬＴＩＰＥＸＥＲ  ２は、変換器のその要素または変換器のそれらの要素を選択し、入力Ｄ２に接続された励起信号ＨＳがそこに結合される。ＨＳは図示されていない発振回路またはシンセサイザーによって発生される。
【００１０】
ＭＵＬＴＩＰＬＥＸＥＲ  １が、制御信号Ｃ１１−Ｃ１Ｍに従って変換器の一つまたはいくつかの要素を中央ユニットに接続し、この信号は図１のＡＳである。
【００１１】
対象Ｏが変換器の要素に近くないときに、変換器の要素は、図２に示すように電界Ｅ経由で連結される。図３は、対象Ｏがどのように変換器の要素間の電界Ｅに影響を及ぼしているかについて示している。
【００１２】
それゆえに、変換器ＴＲＡＮＳＤＵＣＥＲ  ＭＡＴＲＩＸの変換器要素を用いて、Ｏの場所を特定することができるためには、ＨＳが一つまたはいくつかの他の変換器要素に連結するというような方法で上述した接続動作を繰り返さなければならず、および、登録は他の変換器要素からマルチプレクサＭＵＬＴＩＰＬＥＸＥＲ  １経由で前もって決められる。
【００１３】
的確な位置測定の面積を大きくするため、変換器ＴＲＡＮＳＤＵＣＥＲ  ＭＡＴＲＩＸは、いくつかの副次的部分、すなわち導体の分布を案出するために接続され得る要素を含むことに留意する必要がある。
【００１４】
測定事象のこの反復は、中央ユニットＣＥＮＴＲＡＬ  ＵＮＩＴを用いて一つまたは別の方法にあらかじめ決められている。この連結は、時間または監視要求の変化によって変更することができる。
【００１５】
所定の制御は、また、ランダムに変化する連結も含み、それによって、安全な監視順序および監視用途を得ようとするものである。それは直流電気的に絶縁された副次的な部分から構成されるか、または変換器要素内とは異なる電気インピーダンスがあるそれらの間の副次的な部分から構成される導体の分布を含む変換器の構築に有利である。上で、直流電気的に絶縁された要素から構成される行列である変換器を記述した。このようにして、導入された励起信号ＨＳが例えば５００Ｈｚ−５０ｋＨｚなどの低周波数を備えている変換器を考案することができる。
【００１６】
本発明によって、様々な方法で励起信号ＨＳから信号ＡＳを導き出すことができる。ＡＳが導体の第１の部分と導体の第２の部分の間のインピーダンスに関する情報を含むことが不可欠である。
【００１７】
さらに、励起信号ＨＳが変換器ＴＲＡＮＳＤＵＣＥＲ  ＭＡＴＲＩＸの導体の様々な部分に連結されるので、要求に従って導体の部分を選択することができることに留意しなければならない。導体のこれらの接続された部分は、導体の第１の部分を形成する。
【００１８】
したがって、要求に従って、連結インピーダンスの調査に参照された導体のそれらの部分を選択することができ、および、導体のこれらの部分は、導体の第２の部分を形成する。つまり、導体の第１および第２の部分は、制御されたマルチプレクサによって導体のいくつかの別個の部分から形成されることができ、および、導体の第１および第２の部分の形状および寸法は、要求に従って変更されることができる。
【００１９】
変換器は、例えばプラスチックなどの可撓性の材料を用いて有益に考案されることができる。プラスチックから作られたこのような変換器において、一部が導体の分布を形成している複数の層がある。導体は、金属合金、金属、グラファイト混合物または導電性プラスチックからなることができる。導体の分布は、電気化学的工程、印刷または塗布によって形成されることができる。プラスチック表面への導体の分布を蒸着させることもまた、可能である。導体は、プラスチック箔の間に積層されることができる。この場合、導体の分布のパターニングは、レーザーまたは水切断によって遂行される。
【００２０】
変換器を記述するために用語ＴＲＡＮＳＤＵＣＥＲ  ＭＡＴＲＩＸが与えられ、および、行列は数学の公知の用語であり、通常正方形の表と関連づけられているとはいえ、この場合、これは変換器の物理的な形状に関連してはいないことに注意しておく。
【００２１】
変換器は、可変の形状および寸法を有する導体の分布を含む導体の分布から構成されることができ、および、これらは他の物からの部分であることができ、これらはまた、要素と呼ばれることもできる。それで同様に、変換器の導体の一分布が、暖房、給水配管または空調システムの部分または例えば建物のコンクリートの鉄の部分を果たすことができる。
【００２２】
多くの応用において、最初は安定環境の状態のマッピングを実行する、つまり導体の分布間の相互連結をマップし、次いで基本的に静止および一定不変の対象および構造がそれらの位置にあるのが有利である。この状況は、例えばアパートにおいて、家具がその位置にあるが、人々、家畜またはロボットが全く存在しない時に効果がある。このマッピング情報は、例えば中央ユニットにあるメモリ手段かまたは情報通信網経由で接続された、例えば管制センターまたはサービスセンターに位置することができるメモリ手段などのシステム内に格納される。このためこの装置は、中央ユニット内にあるかまたは情報通信網経由で接続され得るメモリ手段を含まなければならない。
【００２３】
次に上記した動作順序に従って、ＣＥＮＴＲＡＬ  ＵＮＩＴがそのプログラムによって導かれるように、励起信号ＨＳがＭＵＬＴＩＰＬＥＸＥＲ  １経由でおよびＭＵＬＴＩＰＬＥＸＥＲ  ２経由で接続されたそのまたはそれらの変換器要素（導体の第１の部分）を選択し、変換器信号ＡＳが連結されるそれらの変換器要素（導体の第２の部分）が、中央ユニットにつながるところは、スキャンサイクルと呼ばれている。
【００２４】
このスキャンサイクルは、多数回繰り返されるのでＴＲＡＮＳＤＵＣＥＲ  ＭＡＴＲＩＸが要求されたエリアにわたって要求された精度でカバーされる。精度およびエリアは、状況および時点に従い変更され得る。例えば、対象Ｏが変換器ＴＲＡＮＳＤＵＣＥＲ  ＭＡＴＲＩＸのあるエリアで検出される場合、このエリアの近辺は、より精密な方法で次のスキャンサイクル中にスキャンされ得る。さらに、ある電磁雑音が変換器に、または他の装置に連結する場合、または信号が他のなんらかの理由のために弱い場合、信号対雑音比を改善するために数回信号を平均することができる。
【００２５】
信号対雑音比を改善するために、変調された励起信号ＨＳを使用し、信号ＡＳの処理において変調情報を使用することができる。
【００２６】
１つの可能性は、信号ＡＳの処理に位相感度が高い検出器を使用することである。身体の異なる機能は、身体の異なる部分の間に、いくつかのインピーダンス変化を引き起こし、このような機能は、とりわけ呼吸および心臓の機能である。これらの両方の機能は、インピーダンス測定を用いて調査されてきた。例えば一回拍出量を決定するための心臓の機能の測定はインピーダンスカルジオグラフィと呼ばれる。このようにして、変換器の異なる要素間の連結経由で、変換器ＴＲＡＮＳＤＵＣＥＲ  ＭＡＴＲＩＸの上に横たわる倒れた人の呼吸および心臓の機能を調査することが可能である。このため、このＣＥＮＴＲＡＬ  ＵＮＩＴはこれらの機能に対応するインピーダンス変化が最大限に検出され得るように信号収集を制御する。心機能によって引き起こされるインピーダンス変化は、概算周波数０．５―３Ｈｚの周期的な繰り返しである。主要な周波数成分は３０Ｈｚ以下であり、例えばＱＲＳ波に含まれる比較的高い周波数成分などの心機能によって引き起こされるインピーダンス変化の固有性は、信号を認識するために使用され得る。
【００２７】
呼吸によって引き起こされる波形もまた特有であり、それらの繰り返し周波数は、およそ０．３−０．０５Ｈｚである。周波数含量は、明らかに１Ｈｚ以下である。呼吸および心臓の動作周波数は、例えばフーリエ変換などの信号処理法を用いて検出され得る。
【００２８】
変換器ＴＲＡＮＳＤＵＣＥＲ  ＭＡＴＲＩＸの導体のそのまたはそれらの部分（導体の第１および第２の部分）を選択することによって、連結された励起信号ＨＳと検出信号ＡＳとの間に心臓または呼吸機能に応じて最良のインピーダンス変化をもたらし、可能な限り精密に測定結果を得ることができる。場合によっては、対象Ｏを認識するかまたは少なくとも監視されるエリアの他の対象から対象Ｏを区別することが必要である。例えば、ロボットは導電率において人体とは明らかに異なり得る。子供または動物の寸法および心拍数は、成人の寸法および成人の心拍数と異なる。また、Ｏは意図的に電気的な連結を変調させるなんらかの手段を含むことができ、このような手段は、例えばモータによって作動される電気伝導部品である。
【００２９】
さらに、対象Ｏの監視動作に変換器ＴＲＡＮＳＤＵＣＥＲ  ＭＡＴＲＩＸを使用することができる。このためにＣＥＮＴＲＡＬ  ＵＮＩＴは、検出されるべき信号の固有性についての必要なプログラムおよび情報を含む。一般に、ＣＥＮＴＲＡＬ  ＵＮＩＴは、変換器経由で観測される信号からおよび導電率の時間的変化から、対象Ｏの導電率についてなんらかの情報を導き出すことができる。
【００３０】
ＣＥＮＴＲＡＬ  ＵＮＩＴは、それが通常の歩行に対応するエリアより大きなエリアをカバーするインピーダンスの変化を検出する時、前記信号の最大化を始めることができ、それは、変換器によって監視されるエリア上に倒れた対象Ｏであり、かつ、対応する変化は、予め設定されたタイムリミットより長い期間静止のままである。
【００３１】
一般にスキャンサイクルは、類似した方法で繰り返される必要はない。例えば監視されるエリアが一定の期間何もない時、ドア、窓およびこのエリアに入ることが可能な他の地点に近い、変換器のそれらの要素へのスキャン動作を目標とするようなスキャンサイクルを適用することは有利であり得る。例えば博物館では、特に貴重ないくつかの工芸品がある場合があり、これらの周囲はより熱心に監視されなければならない。さらに、スキャンサイクルから得られることができる情報が活用されないように、スキャンサイクルはこれらの場合幾分無作為であることが有利である。
【００３２】
１つの可能性は、変換器ＴＲＡＮＳＤＵＣＥＲ  ＭＡＴＲＩＸは、また圧電層、すなわち、例えば図６のＰＩＥＺＯＥＬＥＣＴＲＩＣ  ＬＡＹＥＲへの落下による、振動に反応し、かつ強い信号を発生させる層を含むことである。このためにシステムは中央ユニットへ接続されているある特定の電子回路を含む。この圧電膜が変換器ＴＲＡＮＳＤＵＣＥＲ  ＭＡＴＲＩＸに従う要素に分割される場合、それを振動の生成現場の位置測定のために、および床の上に横になっている人のためのマイクとして使用することができる。
【００３３】
この場合、中央ユニットが、マルチプレクサおよび増幅器経由で対象の下の圧電素子を例えば電話システムに接続する。図６において圧電層を含むＴＲＡＮＳＤＵＣＥＲ  ＭＡＴＲＩＸがあり、この場合変換器ＴＲＡＮＳＤＵＣＥＲ  ＭＡＴＲＩＸまたは少なくともその圧電部分は、音響的に床カバーに十分に連結しなければならない。
【００３４】
ＣＥＮＴＲＡＬ  ＵＮＩＴもまた、対象Ｏの活動事象のタイミングを監視することができ、例えば、対象Ｏとして行動している人は、一定の時間に一定の場所から薬物治療を得なければならない。彼または彼女が一定の時間内に薬物治療のための場所を訪問しなかった場合、ＣＥＮＴＲＡＬ  ＵＮＩＴは、例えば合成された音声を使用してこれについて通知を与える。
【００３５】
同様に人が夜アパートを出ることを試みる場合、これはＣＥＮＴＲＡＬ  ＵＮＩＴによって検出され、これについて通報を与え、およびこの通報が所望の状況につながっていない場合、ＣＥＮＴＲＡＬ  ＵＮＩＴは、情報通信網、電話等経由で監視センターに、警報を送ることができる。中央ユニットのための１つの便利な通信経路は、ディジタルテレビジョンネットワークであり、それは、様々なサービスのために使用される帰還チャンネルを含む。将来ディジタルテレビジョン受信機は、家庭および企業環境においてかなり一般的になる。前記の通報は、表示音、表示光または合成音声またはこれらの組合せを用いて作られることができる。
【００３６】
監視のための他の項目は、とりわけトイレ訪問、キッチン訪問（摂食の監視）、夜間の異常な活動、多くの人々の（安全）監視である。
【００３７】
Ｏおよびそれの変化の状態を特徴づける一情報は監視中の動作の速度である。本発明の方法を用いて、監視されるエリアの対象Ｏの移動の速度を調査することができる。例えば人の動作速度の分布の変化は人の状態のなんらかの変化を示すことができる。
【００３８】
例えば人は、通常の毎日の活動を遂行することができるが、例えば病気のために相当によりゆっくり行動するかもしれない、つまりすばやい動作に対応する速度分布の成分が失われるか、または、それらの強度が、著しく弱い。
【００３９】
速度のこの分布は、記録された速度分布から導き出されるなんらかの算出された数量によって特性を与えられ得る。そのような数量の１つは、速度分布の中央値である。さらに、速度分布の標準偏差を使用することができる。速度分布の監視において、比較的長い期間中に集められる情報を使用しなければならないことを考慮しなければならない。
【００４０】
ここで、傾向の計算を活用することができる。傾向は、より長い期間中に生じる変化を示す。
【００４１】
一般に、電話、有線の広帯域接続、無線接続または音波接続または光学接続経由でＣＥＮＴＲＡＬ  ＵＮＩＴと受信機の間で情報を伝達することができる。情報伝達において、いくつかの当局規制によってカバーされる情報セキュリティおよびプライバシー問題を考慮に入れることは有利である。中央ユニットＣＥＮＴＲＡＬ  ＵＮＩＴに、複数の変換器ＴＲＡＮＳＤＵＣＥＲ  ＭＡＴＲＩＸを接続することができる。
【００４２】
安全は、例えば次のように監視されることができる。あるアパートの住民がベッドで眠るとする。誰かがこの後にアパートに到着する場合、装置は予め定められ得る警報機能を遂行する。警報機能は、なんらかの警報信号機能（ブザー、光、サイレン、警報ベル）の初期化と、警報センターまたはサービスセンターへの接続と、監視人または親族に連絡をとること、とを含むことができる。これらの課題を遂行するために、装置は例えばクロック回路などの時間情報を処理するための手段を含むべきである。
【００４３】
ＣＥＮＴＲＡＬ  ＵＮＩＴは、監視されるエリアおよび人々の挙動の変化に従って適応し、かつ、挙動の変化を検出する機能を含むことができる。このような解決策においては、神経ネットワーク、結合技術または自己組織化ネットワークを活用することができる。これらの技術は、一般に人工知能と呼ばれている。本発明の方法および装置の用途として、信号ＡＳおよびＩＳから得られる情報が評価される基準を設定することは、有利である。これらの基準は、例えば人工知能に基づいて一定不変または可変であることができ、および、例えば内外の温度、時間、雑音のレベルその他のような他の情報も考慮に入れることができる。
【００４４】
変換器装置は、また、励起信号ＨＳが対象上の電極経由で導入され、かつ、測定された信号ＡＳが対象Ｏの下の変換器ＴＲＡＮＳＤＵＣＥＲ  ＭＡＴＲＩＸから得られるようにも考案されることができる。このようにして、対象とされた人が立っているかまたは座っている時、電極と変換器の間の連結から容易に検出することができる。天井、壁または他の表面の変換器の部分は、変換器ＴＲＡＮＳＤＵＣＥＲ  ＭＡＴＲＩＸの要素として、または別の変換器として一般にみなされることができる。変換器ＴＲＡＮＳＤＵＣＥＲ  ＭＡＴＲＩＸは床以外の他の表面、例えば壁またはドアにおいて部分的にまたは完全に配置されることができる。それから、それは例えば、照明制御、空調制御または施錠制御などの制御機能に使用されることができる。
【００４５】
一般に少なくとも、変換器ＴＲＡＮＳＤＵＣＥＲ  ＭＡＴＲＩＸのいくつかの変換器要素は、床、壁、ドアまたは天井表面などの表面、および対象Ｏがアクセスを持つ場所またはその近傍の、監視されるエリアの表面の近くに配置される。
【００４６】
いくつかの解決策において、例えばコンクリートの鉄、空調パイプ、水道管配線などの建物の他の導体を活用することが可能である。それから、これらの導体は、変換器の他の要素と同じ方法で活用されることができるか、または、他の変換器要素からの連結が記録されるこれらの導体から基準導体を作り出すことができる。これは、装置が励起信号を前記他の導体またはそれらのうちいくつかに導入し、および、変換器ＴＲＡＮＳＤＵＣＥＲ  ＭＡＴＲＩＸの要素と励起信号の連結が記録されるような方法で実現することができる。別の方法は、前記の他の導体またはそれらの一部が、基準レベルを形成し、それに対する変換器ＴＲＡＮＳＤＵＣＥＲ  ＭＡＴＲＩＸの他の要素からの励起信号の連結がこの装置を使用して記録される。
【００４７】
ＣＥＮＴＲＡＬ  ＵＮＩＴのいくつかの機能は、他のなんらかの場所の情報通信網経由で例えば監視センターでまたはサービスセンターなどで遂行されることが可能である。上記した例は、主に家庭環境の監視に関している。このシステムは、例えば博物館、銀行、産業ホール、事務所、倉庫、刑務所、留置場、ジム、学校および動物小屋などの他の環境において使用されることができることは自明である。以下において、これらおよび他の考えうる環境は、一般に監視される環境と呼ばれており、監視と関連した活動は、監視活動と呼ばれている。
【００４８】
このシステムによって、Ｏがアクセスを持たない、または持つべきでない環境もまた監視することができる。次いで少なくとも、変換器ＴＲＡＮＳＤＵＣＥＲ  ＭＡＴＲＩＸのいくつかの要素は、例えば、対象Ｏがアクセスまたは行くべきいかなる理由も持たないかまたは持つべきでない危険な品目または貴重な品目の近くのような表面の近くに配置される。
【００４９】
このシステムは、また、監視される環境のいくつかの機能を制御することができ、このような機能は、この環境において、戦い、空調、アクセス制御、施錠、他の警報、制御または監視機能またはロボット装置の制御を含むことができる。変換器ＴＲＡＮＳＤＵＣＥＲ  ＭＡＴＲＩＸ経由で、監視される環境において行動するロボットに、いくつかの制御コマンドおよび例えば位置測定情報を送ることができる。
【００５０】
例えば、位置測定情報は、変換器ＴＲＡＮＳＤＵＣＥＲ  ＭＡＴＲＩＸの要素経由で各要素に位置測定情報を含む信号を送り、要素の近くのロボットが、それからその位置測定に関する情報を受信するというような方法でロボットに送られることができる。緊急状態では、警報が受信されたところから、ロボットをその現場へ導くことができる。
ロボットは、カメラまたは電話を持つことができ、これらを通して監視センター、サービスセンターまたは他の類似した環境から警報が送られた現場に連絡をとることができる。活動の他のモードとしては、位置測定情報が、他のいくつかの通信経路経由、無線または有線の伝送路のどちらかを経由してロボットに送られる。無線伝送路は、誘導界、電界、電磁放射、光（例えば赤外光）または音（例えば超音波）とすることができる。この場合、ＣＥＮＴＲＡＬ  ＵＮＩＴは、例えばＢｌｕｅｔｏｏｔｈ、ＷＬＡＮ等のトランシーバ手段などの必要な手段を含む。位置測定は、また、ロボットが、変換器ＴＲＡＮＳＤＵＣＥＲ  ＭＡＴＲＩＸの要素によって放射される界を受信する手段を含み、この界はロボットが送信要素のすぐ近傍にある時その最大となるような方法で行われることができる。この位置測定活動はスキャンサイクルとは異なることができ、および、それは既知の一定の期間の後、または基本的に無作為周期の後、またはある部外者の要求またはあるシステムの要求により、または例えばＣＥＮＴＲＡＬ  ＵＮＩＴが人の転倒を検出する時のようなある種の事象に関連した、通常の方法で起動されることができる。
【００５１】
システムを照らすことは、検出された動作に従ってまたは光の点滅を制御することを最終的には予測するような方法の制御とすることが出来る。例えばシステムは夜間に光を制御することができ、人がベッドを出る時ベッドからトイレへの経路が点灯されるようにおよび同様に人がベッドへ戻る時システムは光を消すようにできる。一般にシステムによって制御されるそれらの機能は、制御される機能と呼ばれる。
【００５２】
変換器ＴＲＡＮＳＤＵＣＥＲ  ＭＡＴＲＩＸに伝導される励起信号ＨＳは、中央ユニットＣＥＮＴＲＡＬ  ＵＮＩＴに接続され得る受信手段Ｖによって受信される別の信号ＩＳを特別な手段ＥＶに呼び起こす。これは、図８に示されている。特別な手段ＥＶは、ＨＳによって作り出される電磁界によって励起される共振回路を含むことができる。この回路が例えば半導体装置または他の何らかの非線形構成要素などの、調波を発生させる手段を含む場合、この回路は、受信手段Ｖに連結される信号ＩＳとして調波を発生させる。
【００５３】
この場合特別な手段ＥＶは、それ自体の電源を必要としない。他方、ＥＶはまた、いくつかの能動素子および例えば電池などの電源を含むこともできる。ＩＳは、また、特別な手段ＥＶに関する、それらの環境に関するまたは対象Ｏに関する何らかの情報を含むことができる。なんらかの情報は、特別な手段ＥＶによって、近頃は遠方から読み出し可能な小包および切符に使用されるＲＦＩＤ（無線周波数識別）回路をこの特別な手段に含むことによって、発される信号に含まれることができる。
【００５４】
その場合、励起信号ＨＳを用いて、特に特別な手段ＥＶによって発される信号ＩＳを呼び起こそうとしている時、励起信号ＨＳを、その寸法および形状が対象Ｏの位置測定のために使用される導体のこのような分布と異なっている導体の分布に接続することは、有利となり得る。このようにして、導体の分布から十分に遠く進行する導体の分布によって発される電磁界を作り出そうとする。また、導体の分布によって発される電磁界がその特徴を変更するように１つまたはいくつかの特性を変更することができる。
【００５５】
例えば周波数を変更することによって、対象の位置測定のためにハイインピーダンス界を発する導体の分布は主に低インピーダンス磁界を発する。ＨＳの周波数が十分に高い場合、発生する場は、比較的強い電界および磁界成分を含む電磁界となる。
【００５６】
特別な手段の助けによって、対象の位置測定を示すことができ、それは個別に監視される環境における人、動物または加工品の位置測定である。それで、例えば監視される環境において家畜から人を区別することができ、または、例えば財布、鍵等の失われた加工品の位置を特定することができる。
【００５７】
本発明は、上記の実施態様に限定されず、複数の変更が添付の請求の範囲内で妥当とみなされ得る。
【図面の簡単な説明】
【００５８】
本発明は、以下に添付される図によって明確に説明される。
【図１】原理レベルにおける変換器の一実現例。
【図２】このセグメントの近くで監視される対象が何もない時の変換器セグメントの動作原理。
【図３】このセグメントの近くで監視される対象がある時の変換器セグメントの動作原理。
【図４】原理レベルにおけるデータ処理構成要素。
【図５】本発明の変換器行列の床カバーの下への設置。
【図６】変換器行列が床の機械的振動を記録する時の本発明の変換器行列の床カバーの下への設置。
【図７】対電極が監視される対象の上に配置される時の変換器行列の床カバーの下への一設置。
【図８】励起信号によって起動され、その信号が受信手段によって受信される特別な手段。
【図１】
2007502634.tif 000003
【図２】
2007502634.tif 000004
【図３】
2007502634.tif 000005
【図４】
2007502634.tif 000006
【図５】
2007502634.tif 000007
【図６】
2007502634.tif 000008
【図７】
2007502634.tif 000009
【図８】
2007502634.tif 000010
【国際調査報告】
2007502634.tif 000011
2007502634.tif 000012